(57)【要約】【課題】圧縮力および引張力の両方の応力の伝達可能な簡単な構造の部材相互の接合金具および接合構造ならびに接合方法の提供。【解決手段】  上階の縦枠材と下階の縦枠材とに渡って縦向きに配置できる長さを有する１本のボルト４に、そのボルト４の軸方向に間隔をおいて上階側および下階側に配置されて各階の縦枠材１１に固定される側方開口溝形断面の接合金物７がそれぞれ配置され、各接合金物７における側方開口溝に前記ボルトは着脱可能に嵌合されていると共に、接合金物７はボルト４の長手方向に位置固定可能に装着されている部材相互の接合金具１としている。接合金物における上下の各階に配置される接合金物が、各階の縦枠材１１の縦側面に当接されて、接合金物７と縦枠材１１とに渡って横向きに打ち込まれるドリルねじ２４のファスナー材により固定されている。また、部材相互の接合金具１を使用した接合方法としている。【選択図】図１
2005320860.tif 000002
【特許請求の範囲】
【請求項１】
所定の長さを有する１本のボルトに、そのボルトの軸方向に間隔をおいてそれぞれ別個の部材に固定される側方開口溝形断面の接合金物がそれぞれ配置され、前記各接合金物における側方開口溝に前記ボルトは着脱可能に嵌合されていると共に、前記接合金物は前記ボルトの長手方向に位置固定可能に装着されていることを特徴とする部材相互の接合金具。
【請求項２】
上階の縦枠材と下階の縦枠材とに渡って縦向きに配置できる長さを有する１本のボルトに、そのボルトの軸方向に間隔をおいて上階側および下階側に配置されて各階の縦枠材に固定される側方開口溝形断面の接合金物がそれぞれ配置され、前記各接合金物における側方開口溝に前記ボルトは着脱可能に嵌合されていると共に、前記接合金物は前記ボルトの長手方向に位置固定可能に装着されていることを特徴とする部材相互の接合金具。
【請求項３】
前記接合金物はボルトの長手方向に位置調整可能に配置されていることを特徴とする請求項１または２に記載の部材相互の接合金具。
【請求項４】
側方開口溝形断面の接合金物は、横方向の両側に接合用フランジを有する断面ハット型形状とされ、接合金物の溝内にボルト軸部を収容可能とされていることを特徴とする請求項１〜３のいずれかに記載の部材相互の接合金具。
【請求項５】
接合金物の溝における側方開口幅は、ボルト軸部の外径寸法よりも僅かに小さくされていることを特徴とする請求項１〜４のいずれかに記載の部材相互の接合金具。
【請求項６】
接合金物は、鋼板に折り曲げ加工が施されて断面側方開口溝形に形成されていることを特徴とする請求項１〜５のいずれかに記載の部材相互の接合金具。
【請求項７】
接合金物の上下部にボルトにねじ込まれた雌ねじ金具をそれぞれ配置し、上下の雌ねじ金具により接合金物を圧着して、接合金物をボルト長手方向の所定の位置に保持するようにされていることを特徴とする請求項１〜請求項６のいずれかに記載の部材相互の接合金具。
【請求項８】
接合金物と雌ねじ金具との間に、前記ボルトを挿通した少なくとも１つ以上の座金が介在されていることを特徴とする請求項７に記載の部材相互の接合金具。
【請求項９】
座金は、接合金物における側板の外面に近接または当接して配置される脚部を有する断面コ字状の座金であることを特徴とする請求項８に記載の部材相互の接合金具。
【請求項１０】
座金は、接合金物における両側板の外面に近接または当接して配置される脚部を有する断面コ字状の座金と、その断面コ字状の座金と雌ねじ金具との間に介在される平座金であることを特徴とする請求項８に記載の部材相互の接合金具。
【請求項１１】
雌ねじ金具がナットであることを特徴とする請求項７〜請求項１０のいずれかに記載の部材相互の接合金具。
【請求項１２】
接合金物の側方開口溝にボルト外周部が接触するように嵌合されていることを特徴とする請求項１〜１１のいずれかに記載の部材相互の接合金具。
【請求項１３】
請求項１〜１２に記載の部材相互の接合金具が用いられて、建築物における隣り合う横枠材相互または床根太相互あるいは屋根トラスの弦材相互等の隣り合う部材相互が接合されていることを特徴とする建築物における隣り合う部材相互の接合構造。
【請求項１４】
請求項１〜請求項９のいずれかに記載の部材相互の接合金具における各接合金物が、それぞれ上下に隣り合う各階の縦枠材の縦側面に当接されて、接合金物と縦枠材とに渡って横向きに設けられるドリルねじまたはボルト等ファスナー材からなる接合具により固定されていることを特徴とする上下階縦枠材の接合構造。
【請求項１５】
請求項１３または請求項１４の接合構造とするにあたり、請求項１〜請求項９のいずれかに記載の部材相互の接合金具における各接合金物のうちのいずれか一方の接合金物を、接合すべき一方の部材に当接して、接合金物と接合すべき一方の部材とに渡ってドリルねじまたはボルト等ファスナー材からなる接合具を設けて固定し、次いで、他方の接合金物を接合すべき他方の部材に当接してドリルねじまたはボルト等のファスナー材からなる接合具を設けて固定することを特徴とする部材相互の接合方法。
【請求項１６】
請求項１３または請求項１４の接合構造とするにあたり、請求項１〜請求項１２のいずれかに記載の部材相互の接合金具における上下の各階に配置される接合金物のうちのいずれか一方の接合金物を、上下のいずれか一方の階の縦枠材の縦側面に当接して、接合金物と縦枠材とに渡って横向きにドリルねじまたはボルト等ファスナー材からなる接合具を設けて固定し、次いで、他方の接合金物を他方の階における縦枠材の縦側面に当接して横向きにドリルねじまたはボルト等のファスナー材からなる接合具を設けて固定することを特徴とする上下階縦枠材の接合方法。
【請求項１７】
請求項１３または請求項１４の接合構造とするにあたり、請求項１〜請求項１２のいずれかに記載の部材相互の接合金具におけるボルトに、上階側に配置される少なくとも一つの雌ねじ金具を装着し、前記雌ねじ金具によりボルトが下階側に落下しないようにした状態で、上階側から下階側に前記ボルトを配置した後、他の雌ねじ金具をボルトに装着すると共に各階の接合金物をボルトに嵌設し、次いで、接合金物を縦枠材の縦側面に当接して横向きにドリルねじまたはボルト等のファスナー材からなる接合具を設けて固定することを特徴とする上下階縦枠材の接合方法。
【発明の詳細な説明】
【背景技術】
【０００１】
従来、例えば、上階側の壁パネル等における縦枠スタッドと下階側の壁パネル等の縦枠スタッドとを連結する場合、２つのホールダウン金物と連結ボルト・ナットの３つの金物からなる接合金物を使用し、上階側の壁パネルにおける縦枠スタッドにホールダウン金物を固定し、下階側の壁パネルにおける縦枠スタッドにホールダウン金物を固定し、これらのホールダウン金物をボルト・ナットの連結金物により連結する構造が知られている。
【０００２】
このような３つの金物からなる接合金物を使用した接合構造においては、地震あるいは風による水平力が作用した場合、主として引張力しか伝達できないため、圧縮力を床組み部分で伝達するようになり、上下階壁パネルの縦枠スタッドに挟まれる床組み内部に圧縮補強金物を挿入するなど複雑な工夫を必要とし、ピース数が増大し、設計・施工が複雑となっている。
【０００３】
また、図２２および図２３に示すように、前記の床組内部に別個に配置される圧縮補強金物に代えて、鋼管からなる筒状体２５の上下にフランジ２６を設けてフランジ付筒状体２７を構成し、そのフランジ付筒状体２７内に連結ボルト２８を配置すると共に上下のホールダウン金物３０，３１を前記連結ボルト２８にねじ込むナット２９により連結する形態の接合構造も知られている。（例えば、特許文献１参照）
【特許文献１】特開平１０−３１１１１０号公報
【発明の開示】
【発明が解決しようとする課題】
【０００４】
前記従来の場合は、いずれも、２つのホールダウン金物３０，３１と、連結ボルト・ナット２８，２９と、圧縮補強金物またはこれに相当するフランジ付筒状体２７の３つ別個の応力を伝達する剛性の大きい金物を必要とし、金物数が多くなり構造が複雑になると共に、上下各階側でのホールダウン金物３０，３１の配置を必要とし、またこれら上下階のホールダウン金物３０，３１の芯ずれを生じるため、これらのボルト挿通孔を大孔として連結ボルト２８の配置を可能にするようにしており、ホールダウン金物３０，３１の縦枠材接合部から連結ボルト中心軸線Ｃまでの横方向の距離Ｌが大きくなり、曲げ剛性の大きいホールダウン金物３０，３１を必要とし、施工が煩雑で施工コストが高くなるという課題がある。また、床組み３２内部へのフランジ付筒状体２７の挿入には、難易度の高い施工能力を要するという課題がある。
また、上下方向または横方向あるいは傾斜した方向のいずれの方向に配置されても、圧縮力および引張力の両方の応力の伝達可能な簡単な構造の接合金具が望まれていた。
【０００５】
本発明は、接合構造を簡単にでき、しかも圧縮力および引張力の両方の応力の伝達可能な簡単な構造の部材相互の接合金具およびその金具を使用した簡単な構造で施工の容易な接合構造ならびに接合方法を提供することを目的とする。
【課題を解決するための手段】
【０００６】
前記の課題を有利に解決するために、第１発明の部材相互の接合金具においては、所定の長さを有する１本のボルトに、そのボルトの軸方向に間隔をおいてそれぞれ別個の部材に固定される側方開口溝形断面の接合金物がそれぞれ配置され、前記各接合金物における側方開口溝に前記ボルトは着脱可能に嵌合されていると共に、前記接合金物は前記ボルトの長手方向に位置固定可能に装着されていることを特徴とする。
また、第２発明の部材相互の接合金具においては、上階の縦枠材と下階の縦枠材とに渡って縦向きに配置できる長さを有する１本のボルトに、そのボルトの軸方向に間隔をおいて上階側および下階側に配置されて各階の縦枠材に固定される側方開口溝形断面の接合金物がそれぞれ配置され、前記各接合金物における側方開口溝に前記ボルトは着脱可能に嵌合されていると共に、前記接合金物は前記ボルトの長手方向に位置固定可能に装着されていることを特徴とする。
【０００７】
また、第３発明では、第１または第２発明の部材相互の接合金具において、前記接合金物はボルトの長手方向に位置調整可能に配置されていることを特徴とする。
【０００８】
また、第４発明では、第１〜第３発明のいずれかの部材相互の接合金具において、側方開口溝形断面の接合金物は、横方向の両側に接合用フランジを有する断面ハット型形状とされ、接合金物の溝内にボルト軸部を収容可能とされていることを特徴とする。
【０００９】
また、第５発明では、第１発明〜第４発明のいずれかの発明において、接合金物の溝における側方開口幅は、ボルト軸部の外径寸法よりも僅かに小さくされていることを特徴とする。
【００１０】
また、第６発明では、第１発明〜第５発明のいずれかの発明において、接合金物は、鋼板に折り曲げ加工が施されて断面側方開口溝形に形成されていることを特徴とする。
【００１１】
また、第７発明では、第１発明〜第６発明のいずれかの発明において、接合金物の上下部にボルトにねじ込まれた雌ねじ金具をそれぞれ配置し、上下の雌ねじ金具により接合金物を圧着して、接合金物をボルト長手方向の所定の位置に保持するようにされていることを特徴とする。
また、第８発明では、第７発明の部材相互の接合金具において、接合金物と雌ねじ金具との間に、前記ボルトを挿通した少なくとも１つ以上の座金が介在されていることを特徴とする。
また、第９発明では、第８発明の部材相互の接合金具において、座金は、接合金物における両側板の外面に近接または当接して配置される脚部を有する断面コ字状の座金であることを特徴とする。
また、第１０発明では、第８発明の部材相互の接合金具において、座金は、接合金物における側板の外面に近接または当接して配置される脚部を有する断面コ字状の座金と、その断面コ字状の座金と雌ねじ金具との間に介在される平座金であることを特徴とする。
【００１２】
また、第１１発明では、第７発明〜第１０発明のいずれかの発明において、雌ねじ金具がナットであることを特徴とする。
【００１３】
また、第１２発明では、第７発明〜第１１発明のいずれかの発明において、接合金物の溝にボルト外周部が接触するように嵌合されていることを特徴とする。
【００１４】
また、第１３発明の建築物における隣り合う部材相互の接合構造においては、第１発明〜第１２発明の部材相互の接合金具が用いられて、建築物における隣り合う横枠材相互または床根太相互あるいは屋根トラスの弦材相互等の隣り合う部材相互が接合されていることを特徴とする。
また、第１４発明の上下階縦枠材の接合構造においては、第１発明〜第１２発明のいずれかの部材相互の接合金具における各接合金物が、それぞれ各階の縦枠材の縦側面に当接されて、接合金物と縦枠材とに渡って横向きに設けられるドリルねじまたはボルト等ファスナー材からなる接合具により固定されていることを特徴とする。
【００１５】
また、第１５発明の部材相互の接合方法においては、第１３発明または第１４発明の接合構造とするにあたり、第１発明〜第１２発明のいずれかの部材相互の接合金具における各接合金物のうちのいずれか一方の接合金物を、接合すべき一方の部材に当接して、接合金物と接合すべき一方の部材とに渡ってドリルねじまたはボルト等ファスナー材からなる接合具を設けて固定し、次いで、他方の接合金物を接合すべき他方の部材に当接してドリルねじまたはボルト等のファスナー材からなる接合具を設けて固定することを特徴とする。
【００１６】
また、第１６発明の上下階縦枠材の接合方法においては、請求項１３または請求項１４の接合構造とするにあたり、第１発明〜第１２発明のいずれかの部材相互の接合金具における上下の各階に渡り配置される接合金物のうちのいずれか一方の接合金物を、上下のいずれか一方の階の縦枠材の縦側面に当接して、接合金物と縦枠材とに渡って横向きにドリルねじまたはボルト等ファスナー材からなる接合具を打ち込んで固定し、次いで、他方の接合金物を他方の階における縦枠材の縦側面に当接して横向きにドリルねじまたはボルト等のファスナー材からなる接合具を設けて固定することを特徴とする。
【００１７】
また、第１７発明の上下階縦枠材の接合方法においては、請求項１３または請求項１４の接合構造とするにあたり、請求項１〜請求項１２のいずれかに記載の部材相互の接合金具におけるボルトに、上階側に配置される少なくとも一つの雌ねじ金具を装着し、前記雌ねじ金具によりボルトが下階側に落下しないようにした状態で、上階側から下階側に前記ボルトを配置した後、他の雌ねじ金具をボルトに装着すると共に各階の接合金物をボルトに嵌設し、次いで、接合金物を縦枠材の縦側面に当接して横向きにドリルねじまたはボルト等のファスナー材からなる接合具を設けて固定することを特徴とする。
【発明の効果】
【００１８】
第１発明によると、別個の部材に渡って配置できる継ぎ目のない連続した１本ものの所定の長さのボルトの軸方向両側に、それぞれ位置固定可能に装着される接合金物を備えた簡単な構造の部材相互の接合金具とすることができ、かつ圧縮力および引張力の両方の応力の伝達可能な簡単な構造の部材相互の接合金具とすることができる。
また、ボルトは接合金物の側方開口溝に着脱可能に嵌合されているので、接合金物を前記ボルトに装着する場合にボルトの側面から横方向に移動させて容易に嵌合装着することができるため、部材相互の接合金具の単体を組立る場合あるいは各接合金物をボルトに嵌合装着する場合に、容易に組立ることができ、施工効率を向上させることができる。
また、前記側方開口溝内にボルトを嵌合装着することができるため、接合すべき別個の部材とボルト中心軸線との芯ずれを少なくすることができ、部材相互の接合金具に作用する曲げ応力を少なくすることができ、側方開口溝を有する接合金物の板厚を薄く経済的な接合金物とすることができる。
第２発明によると、上階の縦枠材と下階の縦枠材とに渡って縦向きに配置できる継ぎ目のない連続した１本ものの所定の長さのボルトの軸方向両側に、それぞれ位置固定可能に装着される接合金物を備えた簡単な構造の部材相互の接合金具とすることができ、かつ圧縮力および引張力の両方の応力の伝達可能な簡単な構造の部材相互の接合金具とすることができる。
また、ボルトは接合金物の側方開口溝に着脱可能に嵌合されているので、接合金物を前記ボルトに装着する場合にボルトの側面から横方向に移動させて容易に嵌合装着することができるため、部材相互の接合金具の単体を組立る場合あるいは上下階の接合金物をボルトに嵌合装着する場合に、容易に組立ることができ、施工効率を向上させることができる。
また、前記側方開口溝内にボルトを嵌合装着することができるため、上下階側の縦枠材とボルト中心軸線との芯ずれを少なくすることができ、部材相互の接合金具に作用する曲げ応力を少なくすることができ、側方開口溝を有する接合金物の板厚を薄く経済的な接合金物とすることができる。
【００１９】
第３発明によると、接合金物はボルトの長手方向に位置調整可能に配置されていることにより、上下階の縦枠材の所定の位置に、接合金物のボルトに対する上下方向の位置調整をすると共に位置固定して縦枠材に固定することができる。
【００２０】
第４発明によると、接合金物における溝内にボルト軸部を配置することができ、また接合用フランジを利用して上下の各階の縦枠材に容易に固定することができ、また接合金物の溝内にボルト軸部を配置することができるため、縦枠材の取付部とボルト軸心とのずれを少なくすることができ、接合金物に作用する曲げ力を少なくできるため、接合金物の板厚を薄い経済的な接合金物とすることができる。
【００２１】
第５発明によると、接合金物の溝における側方開口幅がボルト軸部の外径寸法よりも僅かに小さくされているので、接合金物を側方開口部からボルト軸部に圧入して嵌合装着された後においては、ボルト軸部から接合金具が離脱するのを防止することができる。
【００２２】
第６発明によると、断面側方開口溝形の接合金物を安価な鋼板を折り曲げ加工して経済的に製作することができ、そのため、安価な部材相互の接合金具とすることができる。
【００２３】
第７発明によると、接合金物の上下に配置された雌ねじ金具により容易に接合金物をボルトの軸方向の所定の位置に固定することができる。また、雌ねじ金具を介してボルトに引張力または圧縮力を伝達できる。
【００２４】
また、第８発明によると、接合金物と雌ねじ金具との間に少なくとも１つ以上の座金が介在されているので、ナット等の雌ねじ金具を接合金物の端部に直接当接して、雌ねじ金具の回動させながら直接押圧しないので、雌ねじ金具からの押圧力を座金により分散させて、接合金物に伝達させることができ、また、雌ねじ金具が直接、接合金物に接触しないので、雌ねじ金具を回動工具により回動して、接合金物を座金を介して押圧把持する場合に、雌ねじ金具が直接、接合金物における側板に当接していないため、雌ねじ金具の回動により接合金物における側板に作用するねじりモーメントを低減することができ、側板が外側に目開きするのを低減することができる。
【００２５】
また、第９発明によると、接合金物に当接する座金として断面コ字状の座金が使用され、その断面コ字状の座金における脚部が、接合金物における側板の外面に近接または当接されているので、接合金物を位置固定すべく、雌ねじ金具が回動されても、側板が脚部に係合することにより、積極的に接合金物における側板の目開きを防止することができる。
【００２６】
また、第１０発明によると、平座金と脚部を有する断面コ字状の座金の２つの座金を使用しているので、平座金により雌ねじ金具の押圧力を均等に分散して断面コ字状の座金に伝達することができ、また、断面コ字状の座金により、平座金からの押圧力を均等に分散して接合金物に伝達することができると共に、断面コ字状の座金における脚部により接合金物の側板が目開きするのを確実に防止することができる。
【００２７】
第１１発明によると、雌ねじ金具を安価なナットとして接合金物をボルトの軸方向の所定の位置に固定することができる。
【００２８】
第１２発明によると、接合金物の溝にボルト軸部の外周部が接触しているので、ボルト中心軸線と接合金物の溝部中心軸線とが相対的に横方向に位置がずれるのを防止することができ、精度のよい部材相互の接合金具とすることができる。
第１３発明によると、建築物における隣り合う横枠材相互または床根太相互あるいは屋根トラスの弦材相互等の隣り合う部材相互を簡単な構造の部材相互の接合金具を用いて連結するように接合できるため、部材相互の連結接合構造が簡単な構造になると共に施工も容易になり、しかも圧縮力および引張り力を確実に伝達することができる接合構造とすることができ、しかも、縦方向または横方向あるいは傾斜した方向等の適宜の方向に配置することができるので汎用性が高い。
【００２９】
第１４発明によると、部材相互の接合金具における各接合金物を、それぞれ各階の縦枠材の縦側面の当接して横方向に打ち込まれるドリルねじまたはボルト等のファスナー材からなる接合具により固定して、部材相互の接合金具およびドリルねじ等のファスナー材からなる接合具を介して、上下方向の圧縮力および引張力を伝達することができる。
【００３０】
第１５発明によると、部材相互の接合金具における各接合金物のうちのいずれか一方の接合金物を、接合すべき一方の部材に当接して、接合金物と接合すべき一方の部材とに渡ってドリルねじまたはボルト等ファスナー材からなる接合具を設けて固定し、次いで、他方の接合金物を接合すべき他方の部材に当接してドリルねじまたはボルト等のファスナー材からなる接合具を設けて固定するので、簡単な構造の部材相互の接合金具を使用してその接合金具における接合金具をドリルねじ等の簡単な接合具を用いて容易に接合できるため、直列または間隔をおいて直列に配置されている別個の部材相互を容易に連結接合することができ、施工も容易で施工効率を向上させることができ、施工コストを低減させることができる。
【００３１】
第１６発明によると、圧縮力および引張り力が伝達可能な上下階縦枠材の接合構造を施工する場合に、ボルト軸部に対して横方向から容易に嵌合配置することが可能な接合金物を備えた部材相互の接合金具を使用して上下階の縦枠材を接合するので、施工効率を向上させることができ、施工コストを低減させることができる。
【００３２】
第１７発明によると、部材相互の接合金具におけるボルトに、上階側に配置される少なくとも一つの雌ねじ金具を装着し、前記雌ねじ金具によりボルトが下階側に落下しないようにした状態で、上階側から下階側に前記ボルトを配置するので、ボルトを下階側に落下しない状態で、上下階に渡って配置することができるので、ボルトの配設作業が容易であり、その後のボルトへの雌ねじ金具等の部品の装着、特に接合金物の装着も横方向から容易行うことができるので、上下階の縦枠材との接合作業も容易に行うことができ、効率よく上下階の縦枠材を本発明の接合金具を使用して接合することができ、施工コストを低減させることができる。
【発明を実施するための最良の形態】
【００３３】
次に、本発明を図示の実施形態に基づいて詳細に説明する。
【００３４】
まず、本発明の一実施形態の部材相互の接合金具について、図６および図７を参照して説明すると、図示の部材相互の接合金具１は、建物、特にスチ−ルハウスを構築する場合における上階の壁パネル等の縦枠材と下階の壁パネル等の縦枠材とに渡って縦向きに配置できる長さを有し、上下両端部に雄ねじ部２，３を備えた１本のボルト４の上下方向の両端部に、それぞれ上下方向に連続する凹溝５ａを有するＵ字状部５の両側部に上下方向に延長する接合用フランジ６を備えた接合金物７における前記凹溝５ａがボルト４に嵌合され、前記接合金物７の上下に後記する雌ねじ部材８，９が圧着されて位置固定および位置調整可能に構成されている。上下両端部の雄ねじ部２，３は、それぞれ上階の縦枠材または下階の縦枠材に対応した位置に設けられ、ねじ方向は適宜でよい。
【００３５】
前記の凹溝５ａとボルト４とは接触していると、すなわち、凹溝５ａ内面とボルト４の外周面との間のギャップがない状態とすると、ボルト４と接合金物７の横方向のずれを防止し、接合金物７あるいはボルト４を正確に配置できる点で好ましい。
【００３６】
各接合金物７は、図示の形態では、例えば、板厚１ｍｍ前後から３．２ｍｍ程度の矩形状薄鋼板に折り曲げ加工が施されて、凹溝５ａが形成されたＵ字状部５を備え、そのＵ字状部５の両側板５ｂに円弧状ガイド部６ａを介して接合用フランジ６が一体に屈曲連設された横断面がハット型形状の部材とされ、各接合用フランジ６の幅方向中間部には、上下方向に間隔をおいて複数のドリルねじ用の小径孔６ｂが形成されている。前記Ｕ字状部５の基端側における断面円弧状部５ｃの円弧状内面５ｄの内径は、ボルト４の外径よりも僅かに大きく設定されて、ボルト４と円弧状内面５ｄとが近接または接触するようにされ、これらの相対的な横方向ずれを防止している。
【００３７】
前記の凹溝５ａは、ボルト４の軸部を嵌合収納するための溝で、Ｕ字状部５の両側に接合用フランジ６が一体に設けられ、各接合用フランジ６は同面状に形成されている。接合金物７がＵ字状部５の両側に接合用フランジ６を備えた形状であるので、図２２および図２３に示す従来のホールダウン金物３０，３１の縦部分３３の板厚を増加させて曲げ剛性を増大させたり、縦部分３３とベース部３４に直角に補剛リブ３５を溶接により固着して剛性を増大させる形態に比べて、一枚の鋼板を断面ハット型に屈曲形成して、曲げ剛性および座屈強度の高い接合金物７とすることができる。
また、接合金物７の接合用フランジ６により建物側との接合部面とボルト４の中心軸線との間の寸法は、本発明では、接合用フランジ６間に板材がないので、従来のホールダウン金物３０，３１に比べ、少なくとも縦部分３３の板厚分少なく接近させ、曲げモーメント負担の少ない構造とすることができる合理的な接合金物７とすることができる。そのため、接合金物７の変形が少ない部材相互の接合金具１とすることができる。
【００３８】
上下の各接合金物７の上下両端面部には、ボルト４にねじ込まれた雌ねじ金具としてナットからなる上面圧着用雌ねじ部材８と、雌ねじ金具としてナットからなる下面圧着用雌ねじ部材９がそれぞれ圧着されて、各接合金物７は、それぞれボルト４の上部および下部において位置調整可能に、また位置固定可能に設けられている。各接合金物７の上下両端部のＵ字状部５の両側板に圧着用雌ねじ部材８，９が圧着されることで一体化されて補強されていると共に、前記各圧着用雌ねじ部材８，９を介して引張力および圧縮力が伝達可能な構造とされている。
【００３９】
例えば、前記の上面圧着用雌ねじ部材８と下面圧着用雌ねじ部材９のいずれか一方の圧着用雌ねじ部材を緩めて接合金物７から離した状態で、他方の圧着用雌ねじ部材を回転させることにより、接合金物７をボルト４に対して上下方向位置調整することができ、また、前記他方の圧着用雌ねじ部材を接合金物７の端面に圧着するように締め込むことにより、接合金物７の上下に配置されている上面圧着用雌ねじ部材８と下面圧着用雌ねじ部材９を接合金物７の上下両端面の圧着固定して、接合金物７をボルト４の軸方向の所定の位置に固定することができる。
【００４０】
なお、前記の部材相互の接合金具１の変形形態として、図８および図９に示すように、各接合金物７におけるＵ字状部５を構成する対向する側板間の幅寸法を部分的に、ボルト４の軸部の外径寸法よりも若干小さな寸法ｄとしてもよく、このようにボルト４の軸部の外径寸法よりも僅かに小さい寸法ｄの側方開口溝１０としておくと、ボルト４の軸部を凹溝５ａに嵌合して接合金物７を仮保持させることができ、また、接合金物７がボルト４から横方向に離脱するのを防止することができ、施工性を向上させることができる。
【００４１】
さらに、前記の部材相互の接合金具１の変形形態として、図１２および図１３に示すように、上下方向に連続する凹溝５ａを有する角形Ｕ字状部５の両側部に上下方向に延長する接合用フランジ６を有する接合金物７とし、また、その各接合金物７における凹溝５ａを全ねじボルトからなるボルト４に嵌合し、各側方開口溝形断面の接合金物７の両端部に位置するように、それぞれ断面コ字状の座金３６とその外側に平座金３７とを、それぞれボルト４に予め装着し、前記平座金３７を雌ねじ部材８，９により押圧することにより、前記平座金３７および断面コ字状の座金３６を介して、接合金物７を所定の位置に保持するようにしてもよい。
【００４２】
前記の断面コ字状の座金３６における各脚部３８は、接合金物７における側板５ｂの外面に近接または当接して配置され、各脚部３８相互を接続する接続板３９にはボルト挿通孔が設けられている。前記の平座金３７が設けられることで、雌ねじ部材８，９により押圧力を均等に分散して断面コ字状の座金３６に伝達することができ、また、断面コ字状の座金３６における接続板３９により接合金物７の端面に応力を均等に分散させて固定することができる。なお、前記接続板３９には、前記接続板３９の配置を明確にするためのケガキ線４４が刻設されてケガキ線４４側が接合金物７のフランジ６側に位置して設置されるようにされている。
【００４３】
また、接合金物７の各部に断面コ字状の座金３６における脚部３８が、接合金物７における側板５ｂの外面に近接または当接して配置されることで、雌ねじ部材８，９により押圧するように前記雌ねじ部材８，９を回動工具により回動した場合、接合金物７における側板５ｂがボルト４の軸部側（内側）と反対の外側に目開きするのを防止する開き止め作用をしている。図６に示す形態では、雌ねじ部材８，９が接合金物７の側板５ｂの端面に直接当接しているため、雌ねじ部材８，９を回動工具で回動して接合金物７端面を圧着した場合、側板５ｂに外開きする方向のねじりモーメントが作用するようになるため、側板５ｂの剛性を高めた接合金物７とする必要があるが、図１２に示す形態の接合金物７では、このようなねじりモーメントが作用し接合金物具１とすることができる。なお、その他の構成は、前記実施形態と同様であるので、同様な部分には、同様な符号を付して説明を省略する。
【００４４】
前記のように接合金物７にねじりモーメントが作用しないようにするため、および接合金物７端面に均等に押圧力が作用するように、図１４に変形形態として示すように、前記平座金３７を省略して、断面コ字状の座金３６のみとしてもよく、断面コ字状の座金３６の接続板３９により、雌ねじ部材８，９の回動により押圧力が作用した場合に、接合金物７の端面に押圧力を均等に分散させるようにし、雌ねじ部材８，９の回動により、ねじりモーメントが作用した場合に、座金３６の脚部３８を側板５ｂの外側に係合させて、常に側板５ｂをボルト４側（内側）にねじりモーメントを作用させるようにして、側板５ｂの目開きを防止することができる。その他の構成は、前記実施形態と同様であるので、同様な部分には、同様な符号を付して説明を省略する。
【００４５】
さらに、図１４の変形形態として図１５に示すように、断面コ字状の座金３６に代えて、平座金３７のみとし、雌ねじ部材８，９を回動工具で回動して平座金３７を介して接合金物７端面を圧着した場合、平座金３７により押圧力を接合金物７の端面に均等に分散して伝達脱させることができ、また、雌ねじ部材８，９を回動工具で回動した場合、多少は接合金物具１のねじりモーメントの軽減を図ることができる。その他の構成は、前記実施形態と同様であるので、同様な部分には、同様な符号を付して説明を省略する。なお、座金を介在させる形態において、図示を省略するが、断面コ字状の座金３６または平座金３７の外側に、さらにばね座金を介在させるようにしてもよい。
【００４６】
前記各実施形態において、部材相互の接合金具１におけるボルト４として、六角頭部付きのボルトを使用する場合には、上下の接合金物７のいずれか一方を位置調整可能にされていてもよい。
【００４７】
本発明の部材相互の接合金具１およびその金具を用いた接合構造は、前記実施形態以外にも、図示を省略するが、建築物における直列に隣り合う横枠材相互または床根太相互あるいは屋根トラスを構成する弦材相互等、部材相互の連結接合に適用することができ、特に、直列に隣り合う部材端部相互または間隔をおいた部材端部相互あるいは屋根トラスでは直列または接近するように傾斜して並列する部材端部相互に接合金物を接合して部材相互の連結接合に適用することができ、縦方向または横方向あるいは傾斜した方向でもよく、部材間に圧縮力または引張り力を伝達することができる連結接合となるが以下に、部材相互の接合金具１を使用して、一例として上階および下階に配置されている縦枠材相互を接合した形態について、図１〜図５を参照して説明する。
【００４８】
図示の形態のスチ−ルハウスでは、下階側に配置固定されている下階側壁パネル１２は、薄鋼板を凹溝状に折り曲げ加工されて形成された断面溝形の上枠材（上横枠材）１３と下枠材（下横枠材、図示省略）とこれらに端部が連結される横断面リップ付溝形の縦枠材１１並びにこれらの側面の片面または両面に、ビスまたはドリルねじ等の固着具により固定される薄鋼板等の構造用面材１４とを備えている。
【００４９】
基礎あるいは下位の壁パネル等に下階側壁パネル１２は連結されて建て込まれ、その下階側壁パネル１２の上枠材１３の上にこれに沿って木製角材等の上枠補強材１５が載置されてドリルねじ等の固着具により固定され、その上枠補強材１５に、端根太あるいは側根太１６が配設されている。なお、上枠材１３等の耐力が大きい場合には、図１０および図１１に示すように、前記上枠補強材１５を省略して、上枠材１３の上に直接、端根太あるいは側根太１６が配設される。
【００５０】
前記の端根太あるいは側根太１６には、図示省略の床根太あるいは天井根太が架設固定され、端根太あるいは側根太１６および床根太の上フランジ２１に床下張材１７が載置されてドリルねじ等の固着具により固定され、その床下張材１７上に、前記下階側壁パネル１２と同様な構造の上階側壁パネル１８が下階側壁パネル１２と同一垂直面状に建て込まれ、上階側壁パネル１８における溝形断面の下枠材１９のウエブ２３は床下張材１７上に載置され、ドリルねじ等の固着具により固定されている。
【００５１】
床下張材１７上に載置されている上階側壁パネル１８における溝形断面の下枠材１９と、床下張材１７と、上枠補強材１５と、下階側壁パネル１２における上枠材１３には、図４に示すように、部材幅方向中央部に部材長手方向に長い長孔２０が重合するように設けられ、また、端根太あるいは側根太１６における上下のフランジ２１先端部には、ボルト４の軸部と干渉するのを防止するために、図５（ａ）に示すようなＶ字状等の切り欠き部２２を設けるか、あるいは、端根太あるいは側根太１６における上下のフランジ２１の巾が広い場合には、図５（ｂ）に示すように、前記上下のフランジ２１の巾方向中間部に孔が穿設され、例えば部材長手方向に長い長孔２２が設けられる。
【００５２】
部材相互の接合金具１を上階および下階に渡って配置する場合の一形態として、部材相互の接合金具１における上部の接合金物７をその上下の圧着用雌ねじ部材８，９によりボルト４の所定の位置に装着して位置固定した状態で、また、下部の接合金物７およびその上下の圧着用雌ねじ部材８，９を取り外した状態で、上階側から部材相互の接合金具１のボルト４の下部を前記各部材（１９，１７，１５，１３）の長孔２０に挿入して下階側にボルト４の下部を配置する。
【００５３】
そして、端根太あるいは側根太１６における上下のフランジ２１の切り欠き部２２にボルト４の中間軸部を位置させると共に、上階側の接合金物７における各接合フランジ６を上階側の縦枠材１１におけるウエブ２３に当接し、必要とされる耐力が得られる適宜の本数の横向きのドリルねじ２４あるいはボルト等のファスナー材からなる接合具により固定する。
【００５４】
また、下階側に配置されたボルト４の下部に、上下の圧着用雌ねじ部材８，９をねじ込み、また、接合金物７を横方向から装着して上下の圧着用雌ねじ部材８，９により位置固定して各接合フランジ６を前記下階側の壁パネル１２における縦枠スタッドからなる縦枠材１１のウエブ２３に、必要とされる耐力が得られる適宜の本数の横向きのドリルねじ２４あるいはボルト等のファスナー材からなる接合具により固定する。
【００５５】
部材相互の接合金具１を上階および下階に渡って配置する場合の他の一形態として、部材相互の接合金具１における下部の接合金物７をその上下の圧着用雌ねじ部材８，９によりボルト４の所定の位置に装着して位置固定した状態で、また、上部の接合金物７およびその上下の圧着用雌ねじ部材８，９を取り外した状態で、下階側から部材相互の接合金具１のボルト４の上部を前記各部材（１３，１５，１７，１９）の長孔２０に挿入して上階側にボルト４の上部を配置する。
【００５６】
そして、端根太あるいは側根太１６における上下のフランジ２１の切り欠き部２２にボルト４の中間軸部を位置させると共に、下階側の接合金物７における各接合フランジ６を下階側の縦枠材１１におけるウエブ２３に当接し、必要とされる耐力が得られる適宜の本数の横向きのドリルねじ２４あるいはボルト等のファスナー材からなる接合具により固定する。
【００５７】
また、上階側に配置されたボルト４の上部に、上下の圧着用雌ねじ部材８，９をねじ込み、また、接合金物７を横方向から装着して上下の圧着用雌ねじ部材８，９により位置固定して各接合フランジ６を前記上階側の壁パネル１２における縦枠スタッドからなる縦枠材１１のウエブ２３に、必要とされる耐力が得られる適宜の本数の横向きのドリルねじ２４あるいはボルト等のファスナー材からなる接合具により固定する。
【００５８】
図１６〜図１９には、図１２に示した形態の部材相互の接合金具１を使用して、下階側壁パネル（耐力壁）１２における縦枠材１１と、床パネル４０を介して上階側壁パネル１８の縦枠材１１とを接合した形態が示されている。なお、図中、符号４１は基礎、４２はアンカーボルト、４３は１階の壁パネル（耐力壁）１２とアンカーボルト４２とを一体に連結するホールダウン金物である。
【００５９】
図１６〜図１９に示す形態、または図１〜図２に示す形態、あるいは図１０〜図１１に示す形態の接合構造にするために、本発明の部材相互の接合金具１を設置して接合する場合の方法として、図１２に示す部材相互の接合金具１を代表形態として、図１６から図１８に示す上下階の壁パネル（耐力壁）１２，１８における縦枠材１１を接合する場合の一形態について説明する。
【００６０】
図１２に示す接合金具１において、ボルト４に装着されている接合金物７および各座金３６，３７および雌ねじ部材８，９のうち、上階側に配置される接合金物７下側の少なくとも雌ねじ部材９を装着し、雌ねじ部材９付きのボルト４とし、その雌ねじ部材９付きのボルト４を、図１９に示すように、上階側の下枠材１９の長孔２０、床パネル４０における床下張材１７の長孔２０、および端根太あるいは側根太の切り欠き部または長孔２２に挿通する。この場合、前記の雌ねじ部材９が各孔より大きいために、ボルト４が下階に落下するのを防止することができる。ボルト４の落下を防止するためには、上階側に配置される少なくとも雌ねじ部材９が一つあればよく、上階側に配置されるこれ以外の部品を装着した状態でもよい。
【００６１】
前記のように雌ねじ部材９付きのボルト４を、上階側から下階側に配置した状態で、前記の雌ねじ部材９付きのボルト４に、さらに、上階側のボルト４の軸部に、平座金３７と、上下に対向する一対の断面コ字状の座金３６と、平座金３７および雌ねじ部材８とを順次装着し、また、下階側のボルト４の軸部に、雌ねじ部材８および平座金３７と、上下一対の断面コ字状の座金３６と、平座金３７および雌ねじ部材９とを順次装着し、図２１に示す状態とする。
【００６２】
次いで、図２１に示すように、上階側においては、上側の断面コ字状の座金３６および平座金３７を上昇させた状態で、接合金物７を横方向からボルト４に嵌合し、また、下階側においても同様に、上側の断面コ字状の座金３６および平座金３７を上昇させた状態で、接合金物７を横方向からボルト４に嵌合させると共に縦枠材１１のウエブ２３に当接する。そして、上下階の雌ねじ部材８，９を回動して、各座金３６，３７を介して接合金物７を圧着し、位置固定する。この状態で、図１７に示すように、ウエブ２３を背中合わせに重合された一対のリップ付き溝形部材からなる縦枠材１１の各ウエブ２３に、ドリルねじ２４をねじ込んで一体化される。
【００６３】
前記のように、部材相互の接合金具におけるボルト４に、上階側に配置される少なくとも一つの雌ねじ金具を装着し、前記雌ねじ金具によりボルトが下階側に落下しないようにした状態で、上階側から下階側に前記ボルトを配置すると、ボルトを下階側に落下しない状態で、上下階に渡って配置することができるので、ボルトの配設作業が容易であり、その後のボルトへの雌ねじ金具等の部品の装着、特に接合金物の装着も横方向から容易行うことができるので、上下階の縦枠材との接合作業も容易に行うことができ、効率よく上下階の縦枠材を本発明の接合金具を使用して接合することができる。
【００６４】
前記のように部材相互の接合金具１により連結された上階側壁パネル１８および下階側壁パネル１２では、地震時あるいは風荷重等において、上階側壁パネル１８に上向きの引張り力が作用した場合には、上階側壁パネル１８の縦枠材１１のウエブ２３から複数のドリルねじ２４等のファスナー材、上階側の接合金物７の接合フランジ６、上面圧着用雌ねじ部材８、ボルト４、下階側の下面圧着用雌ねじ部材９、下階側の接合金物７の接合フランジ６、複数のドリルねじ２４のファスナー材、下階側壁パネル１２のウエブを介して下階側壁パネル１２に伝達され、床下張材１７および端根太あるいは側根太１６が押圧されないようにすることができる。
【００６５】
また、地震時あるいは風荷重等において、上階側壁パネル１８に下向きの圧縮力が作用した場合には、上階側壁パネル１８の縦枠材１１のウエブ２３から複数のドリルねじ２４のファスナー材、上階側の接合金物７の接合フランジ６、下面圧着用雌ねじ部材９、ボルト４、下階側の上面圧着用雌ねじ部材８、下階側の接合金物７の接合フランジ６、複数のドリルねじ２４のファスナー材、下階側壁パネル１２のウエブを介して下階側壁パネル１２に伝達され、床下張材１７および端根太あるいは側根太１６が押圧されることはない。
【００６６】
また、地震時あるいは風荷重等において、下階側壁パネル１２に上向きの力が作用した場合には、下階側壁パネル１２の縦枠材１１のウエブ２３から複数のドリルねじ２４のファスナー材、下階側の接合金物７の接合フランジ６、上面圧着用雌ねじ部材８、ボルト４、上階側の下面圧着用雌ねじ部材９、上階側の接合金物７の接合フランジ６、複数のドリルねじ２４のファスナー材、上階側壁パネル１２のウエブを介して上階側壁パネル１８に伝達され、床下張材１７および端根太あるいは側根太１６が押圧されることはない。
【００６７】
また、地震時あるいは風荷重等において、下階側壁パネル１２に下向きの力が作用した場合には、下階側壁パネル１２の縦枠材１１のウエブ２３から複数のドリルねじ２４のファスナー材、下階側の接合金物７の接合フランジ６、下面圧着用雌ねじ部材９、ボルト４、上階側の上面圧着用雌ねじ部材８、上階側の接合金物７の接合フランジ６、複数のドリルねじ２４のファスナー材、上階側壁パネル１２のウエブを介して上階側壁パネル１８に伝達され、床下張材１７および端根太あるいは側根太１６が押圧されることはない。
【００６８】
本発明を実施する場合、部材相互の接合金具１を構成する上面圧着用雌ねじ部材８およい下面圧着用雌ねじ部材９としては、それぞれロックナットを含む２個のナットを使用してもよい。
【００６９】
本発明を実施する場合、ボルト４としては、軸方向の両端部側に雄ねじ部を有するボルトとしてもよく、中間軸部を円形以外の断面形状としてもよく、また、軸方向両端にボルト軸部よりも小さい外径の回り止め角軸部を備えたボルトとしてもよい。また、他の形態のボルト４として、上下方向の一端側に、六角のボルト頭部を有し、両端側に雄ねじ部を有するボルトを使用するようにしてもよく、この場合は、ボルト中間軸部の外径をねじ溝よりも小さくしておけばよく、あるいは総ねじボルトを使用するようにしてもよい。
【００７０】
本発明を実施する場合、凹溝５ａおよび接合用フランジ６を有する接合金物７としては、複数の鋼板を溶接により組み立ててもよい。なお、接合金物７を部材相互の接合金具１内において上下対称位置に配置するようにするのが好ましい。
【図面の簡単な説明】
【００７１】
【図１】本発明の部材相互の接合金具を使用して上下階の縦枠材を接合している状態を示す縦断正面図である。
【図２】図１の縦断側面図である。
【図３】図２のＡ−Ａ線断面図である。
【図４】ボルト軸部とボルト軸部を挿通する各部品のボルト挿通孔との関係を示す横断面の説明図である。
【図５】（ａ）は図２のＢ−Ｂ線断面図、（ｂ）は上下のフランジに長孔を設けた場合のボルトと長孔との関係を示す一部横断平面図である。
【図６】本発明で使用する部材相互の接合金具の一形態を示すものであって、（ａ）は正面図、（ｂ）は側面図である。
【図７】図６に示す部材相互の接合金具を示すのもであって、（ａ）は縦断側面図、（ｂ）は平面図、（ｃ）は図６（ａ）のＣ−Ｃ線断面図である。
【図８】本発明で使用する部材相互の接合金具の他の形態を示すものであって、（ａ）は正面図、（ｂ）は側面図である。
【図９】図８に示す部材相互の接合金具を示すのもであって、（ａ）は縦断側面図、（ｂ）は平面図、（ｃ）は図８（ａ）のＤ−Ｄ線断面図である。
【図１０】本発明の部材相互の接合金具を使用して、上枠補強材を必要としない接合構造における上下階の縦枠材を接合している状態を示す縦断正面図である。
【図１１】図１０の縦断側面図である。
【図１２】本発明で使用する部材相互の接合金具のさらに他の形態を示すものであって、（ａ）は正面図、（ｂ）は側面図である。
【図１３】（ａ）は図１２に示す接合金具における平座金および断面コ字状座金および側方開口溝形の接合金物を正面視で分解して示す分解図、（ｂ）は平面視で分解して示す分解図である。
【図１４】図１２に示す状態から平座金を取り除いた変形形態の接合金具を示すものであって、（ａ）は正面図、（ｂ）は側面図である。
【図１５】図１２に示す状態から断面コ字状座金を取り除いた変形形態の接合金具を示すものであって、（ａ）は正面図、（ｂ）は側面図である。
【図１６】図１２に示す本発明の部材相互の接合金具を使用して上下階の縦枠材を接合している状態を示す縦断正面図である。
【図１７】図１６の縦断側面図である。
【図１８】（ａ）は図１７におけるＣ−Ｃ線断面図、（ｂ）は図１７におけるＤ−Ｄ線断面図、（ｃ）は図１７におけるＥ−Ｅ線断面図である。
【図１９】本発明の接合金具を使用して上下に隣り合う縦枠材を接合する場合の接合工程を説明するための概略正面図である。
【図２０】図１９の一部を拡大して示す縦断側面図である。
【図２１】ボルトに座金および雌ねじ金具を装着して最後に側方開口溝形断面の接合金物を横方向からボルトに嵌合する状態を示す縦断側面図である。
【図２２】ホールダウン金物を使用する従来の接合金具を分解して示す斜視図である。
【図２３】従来のホールダウン金物を使用した上下階縦枠材の接合構造を示す縦断側面図である。
【符号の説明】
【００７２】
１  部材相互の接合金具
２  雄ねじ部
３  雄ねじ部
４  ボルト
５  Ｕ字状部
５ａ  凹溝
５ｂ  側板
５ｃ  円弧状部
５ｄ  円弧状内面
６  接合用フランジ
６ａ  円弧状ガイド部
６ｂ  小径孔
７  接合金物
８  上面圧着用雌ねじ部材
９  下面圧着用雌ねじ部材
１０  側方開口部
１１  縦枠材
１２  下階側壁パネル
１３  上枠材
１４  構造用面材
１５  上枠補強材
１６  端根太あるいは側根太
１７  床下張材
１８  上階側壁パネル
１９  下枠材
２０  長孔
２１  上下のフランジ
２２  切り欠き部または長孔
２３  ウエブ
２４  ドリルねじ
２５  筒状体
２６  フランジ
２７  フランジ付筒状体
２８  連結ボルト
２９  ナット
３０  ホールダウン金物
３１  ホールダウン金物
３２  床組み
３３  縦部分
３４  ベース部
３５  補剛リブ
３６  断面コ字状の座金
３７  平座金
３８  脚部
３９  接続板
４０  床パネル
４１  基礎
４２  アンカーボルト
４３  ホールダウン金物
４４  ケガキ線
【図１】
2005320860.tif 000003
【図２】
2005320860.tif 000004
【図３】
2005320860.tif 000005
【図４】
2005320860.tif 000006
【図５】
2005320860.tif 000007
【図６】
2005320860.tif 000008
【図７】
2005320860.tif 000009
【図８】
2005320860.tif 000010
【図９】
2005320860.tif 000011
【図１０】
2005320860.tif 000012
【図１１】
2005320860.tif 000013
【図１２】
2005320860.tif 000014
【図１３】
2005320860.tif 000015
【図１４】
2005320860.tif 000016
【図１５】
2005320860.tif 000017
【図１６】
2005320860.tif 000018
【図１７】
2005320860.tif 000019
【図１８】
2005320860.tif 000020
【図１９】
2005320860.tif 000021
【図２０】
2005320860.tif 000022
【図２１】
2005320860.tif 000023
【図２２】
2005320860.tif 000024
【図２３】
2005320860.tif 000025